(57)【要約】【課題】ヘアドライヤなどのヘアケア機器を提供する。【解決手段】手持型機器であって、壁部と、壁部内を機器の流体入口から機器の流体出口へと延びる流体流路と、流体入口に流体を吸い込むための、壁部内を長手方向に延びるファンユニットとを備えた手持型機器を開示し、ファンユニットは、壁部に対して非同心状である。ファンユニットは、流体流路内に同軸的に位置付けることができる。壁部は、変化できる厚みを有する。壁部はほぼ管状であり、壁部の厚みは、壁部の円周回りで変化することができる。壁部は、ほぼ管状であって内面及び外面を有することができる。内面の中心軸は、外面の中心軸と異なることができる。【選択図】図６
2016112424.tif 000002
【特許請求の範囲】
【請求項１】
手持型機器であって、壁部と、該壁部内を前記機器への流体入口から前記機器からの流体出口へと延びる流体流路と、前記流体入口に流体を吸い込むための、前記壁部内を長手方向に延びるファンユニットとを備え、前記ファンユニットは、前記壁部に対して非同心状であり、前記壁部は、変化する厚みを有する、
ことを特徴とする手持型機器。
【請求項２】
前記ファンユニットは、前記流体流路内に同軸的に位置付けられる、
請求項１に記載の機器。
【請求項３】
前記壁部はほぼ管状であり、前記壁部の前記厚みは、前記壁部の周囲回りで変化する、
請求項１に記載の機器。
【請求項４】
前記壁部は、ほぼ管状であって内面及び外面を有する、
請求項１から３のいずれかに記載の機器。
【請求項５】
前記内面の中心軸は、前記外面の中心軸と異なる、
請求項４に記載の機器。
【請求項６】
前記ファンユニットに、電源から延びるワイヤによって電力が供給され、前記電源から延びる前記ワイヤは前記壁部内に収容される、
請求項１から５のいずれかに記載の機器。
【請求項７】
前記壁部は、前記ワイヤの近傍において局所的に厚みが大きい、
請求項６に記載の機器。
【請求項８】
前記壁部は、前記ワイヤを収容するための、前記壁部に沿って延びるチャネルを含む、
請求項６又は７に記載の機器。
【請求項９】
前記チャネルは、少なくとも前記ファンユニットを過ぎて前記壁部に沿って延びる、
請求項８に記載の機器。
【請求項１０】
前記ワイヤと位置合わせされた制御スイッチを備える、
請求項６から９のいずれかに記載の機器。
【請求項１１】
前記チャネルと位置合わせされた制御スイッチを備える、
請求項８に記載の機器。
【請求項１２】
前記機器は、第１の端部及び第２の端部を含む本体と、該本体から延びるハンドルとを有し、前記ワイヤは、前記壁部内を前記ハンドルに沿って延び、前記ワイヤは、前記本体の前記第１の端部に近接して前記ハンドル内に半径方向に配置される、
請求項６から９のいずれかに記載の機器。
【請求項１３】
前記本体の前記第１の端部に近接する制御スイッチを備える、
請求項１２に記載の機器。
【請求項１４】
前記本体の前記第２の端部は、前記機器からの前記流体出口を含む、
請求項１２又は１３に記載の機器。
【請求項１５】
前記ハンドルは、前記機器への前記流体入口を含む、
請求項１２から１４のいずれかに記載の機器。
【請求項１６】
前記本体は、前記機器へのさらなる流体入口を含む、
請求項１２から１５のいずれかに記載の機器。
【請求項１７】
前記機器を軸方向に貫いて、前記本体の前記さらなる流体入口から前記第２の端部までさらなる流体流路が延びる、
請求項１６に記載の機器。
【請求項１８】
前記ハンドルは、前記本体と直交し、前記流体入口は、前記本体から遠位側の前記ハンドルの端部に配置される、
請求項１２から１７のいずれかに記載の機器。
【請求項１９】
前記ファンユニットは、インペラと、該インペラを駆動するモータとを有する、
請求項１から１８のいずれかに記載の機器。
【請求項２０】
前記インペラは、前記壁部内で軸方向に整列する、
請求項１９に記載の機器。
【請求項２１】
前記機器は、ヘアケア機器である、
請求項１から２０のいずれかに記載の機器。
【請求項２２】
前記ヘアケア機器は、ヘアドライヤである、
請求項２１に記載の機器。
【発明の詳細な説明】
【技術分野】
【０００１】
本発明は、手持型機器に関し、特にヘアドライヤなどのヘアケア機器に関する。
【背景技術】
【０００２】
一般的には、本体に流体を吸い込むモータ及びファンが設けられ、流体を本体から排出する前に加熱することができる。モータは、ほこり又は毛髪などの異物によって損傷を受け易く、従って通常は流体入口にフィルタが設けられる。ファン及びヒータは、機能するために電力を必要とし、この電力は、商用電源ケーブル又は機器に取り付けられたバッテリのいずれかから内部配線を介して供給される。
【発明の概要】
【課題を解決するための手段】
【０００３】
第１の態様によれば、本発明は、手持型機器であって、壁部と、壁部内を機器への流体入口から機器からの流体出口へと延びる流体流路と、流体入口に流体を吸い込むための、壁部内を長手方向に延びるファンユニットとを備えた手持型機器を開示し、ファンユニットは、壁部に対して非同心状である。
【０００４】
ある態様によれば、本発明は、手持型機器であって、壁部と、壁部内を機器の流体入口から機器の流体出口へと延びる流体流路と、流体入口に流体を吸い込むためのファンユニットとを備えた手持型機器を開示し、ファンユニットは、壁部内に非対称的に位置付けられる。
【０００５】
別の態様によれば、本発明は、手持型機器であって、壁部と、壁部内を機器の流体入口から機器の流体出口へと延びる流体流路と、流体入口に流体を吸い込むためのファンユニットとを備えた手持型機器を開示し、ファンユニットは、壁部に対して偏心している。
【０００６】
ファンユニットは、インペラと、インペラを駆動するモータとを含む。インペラは、壁部内で軸方向に整列することが好ましい。
【０００７】
ファンユニットは、流体流路内に同軸的に位置付けられることが好ましい。従って、流体流路は、壁部内で非同心状であり、非対称的であり、又は偏心する。
【０００８】
ファンユニットは、流体流路内で流体入口と流体出口との間に位置する。従って、インペラ及びインペラを駆動するモータは、流体流路内で流体入口と流体出口との間に位置する。流体入口から入り込んだ流体は、インペラ及びインペラを駆動するモータを過ぎて流れる。
【０００９】
ファンユニットと流体流路を壁部内に偏心して位置付けると、例えばワイヤなどの部品を収容するための空間が壁部内に提供され、この空間の直径が、全ての部品を軸方向に整列させた場合よりも増加しないといういくつかの利点が得られる。
【００１０】
壁部は、変化する厚みを有することが好ましい。壁部は、ほぼ管状であり、壁部の厚みは、壁部の周囲回りで変化することが好ましい。壁部は、ほぼ管状であり、内面及び外面を有することが好ましい。内面の中心軸は、外面の中心軸と異なることが好ましい。
【００１１】
壁部は、２つの部品で形成されることが好ましい。一方の壁部部品は、他方の壁部部品よりも厚いことが好ましい。
【００１２】
ファンユニットには、電源から延びるワイヤによって電力が供給され、電源から延びるワイヤは壁部に収容されることが好ましい。壁部は、ワイヤの近傍において局所的に厚みが大きいことが好ましい。
【００１３】
壁部は、ワイヤを収容するための、壁部に沿って延びるチャネルを含むことが好ましい。チャネルは、少なくともファンユニットを過ぎて壁部に沿って延びることが好ましい。
【００１４】
機器は、ワイヤと位置合わせ（整列）された制御スイッチを備えることが好ましい。
【００１５】
機器は、チャネルと位置合わせ（整列）された制御スイッチを備えることが好ましい。
【００１６】
好ましい実施形態では、機器が、第１の端部及び第２の端部を含む本体と、本体から延びるハンドルとを有し、ワイヤは、壁部内をハンドルに沿って延び、ワイヤは、本体の第１の端部に近接してハンドル内に半径方向に配置されることが好ましい。
【００１７】
機器は、本体の第１の端部に近接する制御スイッチを備えることが好ましい。
【００１８】
本体の第２の端部は、機器からの流体出口を含むことが好ましい。
【００１９】
ハンドルは、機器への流体入口を含むことが好ましい。
【００２０】
本体は、機器へのさらなる流体入口を含むことが好ましい。
【００２１】
機器を軸方向に貫いて、本体のさらなる流体入口から第２の端部までさらなる流体流路が延びることが好ましい。
【００２２】
ハンドルは、本体と直交し、流体入口は、本体から遠位側のハンドルの端部に配置されることが好ましい。
【００２３】
ファンユニットは、インペラと、このインペラを駆動するモータとを有することが好ましい。
【００２４】
インペラは、壁部内で軸方向に位置合わせ（整列）されることが好ましい。
【００２５】
機器は、ヘアケア機器であることが好ましい。
【００２６】
ヘアケア機器は、ヘアドライヤであることが好ましい。
【００２７】
以下、添付図面を参照しながら本発明をほんの一例として説明する。
【図面の簡単な説明】
【００２８】
【図１】本発明によるヘアドライヤを示す図である。
【図２】図１に示すヘアドライヤの線Ａ−Ａにおける断面を示す図である。
【図３ａ】図１に示すヘアドライヤの別の断面を示す図である。
【図３ｂ】図３ａに示すヘアドライヤの入口領域の拡大図である。
【図４】図１のヘアドライヤのハンドルの内部構造の等角図である。
【図５】図１のヘアドライヤの線Ｂ−Ｂにおける断面を示す図である。
【図６】図１のヘアドライヤの線Ｃ−Ｃにおける断面を示す図である。
【図７】図１のヘアドライヤの線Ｄ−Ｄにおける断面を示す図である。
【発明を実施するための形態】
【００２９】
図１、図２、図３ａ及び図３ｂに、ハンドル２０及び本体３０を備えたヘアドライヤ１０を示す。ハンドルは、本体３０に接続された第１の端部２２と、本体３０から遠位側に存在する、一次入口４０を含む第２の端部２４とを有する。ヘアドライヤ１０には、ケーブル５０を介して電力が供給される。
【００３０】
次に、ヘアドライヤの単純化した内部部品を示す図２及び図３ａを詳細に参照すると、ハンドル２０は、本体３０からハンドルの遠位端２４に延びる外壁２００を有する。ハンドルの遠位端２４では、外壁２００を横切って端壁２１０が延びる。ケーブル５０は、この端壁２１０からヘアドライヤに入り込む。ハンドル２０の一次入口４０は、ハンドルの外壁２００に沿ってその周囲に広がる第１の開口部４２と、ハンドル２０の端壁２１０を貫いてその全体に広がる第２の開口部４６とを含む。ケーブル５０は、端壁２１０のほぼ中央に存在し、従ってハンドル２０の中心から延びる。
【００３１】
ケーブル５０は、ユーザの手の中のハンドル２０の向きに関わらずにヘアドライヤの平衡が保たれるという理由で、ハンドル２０の中心から延びることが好ましい。また、ユーザがハンドル２０上で手の位置を動かした場合でも、手を動かしたときの手に対するケーブル５０の位置が変化しないので、ケーブル５０から引っ張られることがない。仮にケーブルの中心をずらしてハンドルの片側に近付けた場合、ヘアドライヤの重量分布が方向と共に変化し、ユーザの気が散ってしまう。
【００３２】
一次入口４０の上流には、ファンユニット７０が設けられる。ファンユニット７０は、ファン及びモータを含む。ファンユニット７０は、一次入口４０から本体３０内に延びる流体流路４００を通じて、一次入口４０から本体３０に向けて流体を吸い込み、ハンドル２０と本体３０は９０において接合される（合流する）。流体流路４００は、本体３０のヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００３３】
本体３０は、第１の端部３２及び第２の端部３４を有し、外壁３６０及び内側ダクト３１０を含む。一次流体流路４００は、ハンドル２０と本体３０の接合部（合流部）９０から本体に沿って、外壁３６０と内側ダクト３１０の間を本体３０の第２の端部における一次流体出口４４０に向かって延びる。
【００３４】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる（同伴される）。
【００３５】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、流体入口３２０から流体出口３４０まで内側ダクト内を延びる。本体３０の第１の端部３２では、外壁３６０と内側ダクト３１０との間に側壁３５０が延びる。この側壁３５０は、少なくとも部分的に流体入口３２０を定める。本体の第２の端部３４では、外壁３６０と内側ダクト３１０との間に間隙３７０が設けられ、この間隙３７０が一次流体出口４４０を定める。一次流体出口４４０は環状であり、流体流路を取り囲む。一次流体出口４４０は内側に存在することができ、従って一次流体流路４００は、本体３０内で流体流路３００に合流することができる。別の例では、一次流体出口４４０が外側に存在し、流体出口３４０において流体流路３００からの流体とは別々に本体３０から排出される。
【００３６】
本体３０内の側壁３５０及び流体入口３２０の近くには、ヘアドライヤの制御電子回路を含むＰＣＢ７５が存在する。ＰＣＢ７５はリング状であり、内側ダクト３１０の周囲の、内側ダクト３１０と外壁３６０の間に延びる。ＰＣＢ７５は、一次流体流路４００と流体連通する。ＰＣＢ７５は、流体流路３００の周囲に延び、内側ダクト３１０によって流体流路３００から分離される。
【００３７】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が設けられ、接続される。
【００３８】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に同伴されるようになる。この流体は、本体の第２の端部３４において処理流と合流する。図２に示す例では、この処理流が、流体出口３４０を通じてヘアドライヤから排出される同伴された流れを取り囲む環状流として、一次流体出口４４０及びヘアドライヤから排出される。従って、ファンユニット及びヒータによって処理された流体は、同伴された流れによって増大する。
【００３９】
次に、一次入口領域をさらに詳細に示す図３ａ、図３ｂ及び図４を参照すると、ワイヤ１０２、１０４の分配装置１００が、ケーブル５０を収容する中心ハブ１１０と、中心ハブ１１０からヘアドライヤ１０のハンドル２０の内壁２２０の方にワイヤ１０２、１０４を配線する際に、これらのワイヤ１０２、１０４を収容する一対のアーム１２０、１２２とを有する。
【００４０】
内壁２２０は、中心ハブ１１０よりも大きな直径を有し、従ってワイヤ１０２、１０４及びアーム１２０、１２２は、中心ハブ１１０から内壁２２０に向かって半径方向外向きに延び、略「Ｙ」字形の装置１００を形成する。
【００４１】
特に図４を参照すると、内壁２２０は、２つの部品２２０ａ、２２０ｂで形成されており、これによって内壁２２０内に収容された部品の組み立てが単純になる。例えば、ファンユニット７０及びワイヤ１０２、１０４などの部品を内壁２２０の２つの部品の一方の内部に配置し、全ての部品を正しく位置合わせ（整列）したら、内壁２２０の２つの部品を互いに接合してヘアドライヤ１０の内側ハンドルを形成することができる。
【００４２】
ワイヤ１０２、１０４を収容するアーム１２０、１２２は、中空シェルとすることもできるが、アーム内を通過するワイヤを収容するように適合された凹部を含む中実体とすることもできる。
【００４３】
特に図５を参照すると、内壁２２０は、この例では内壁の各２つの部品２２０ａ、２２０ｂ内に部分的に形成された一対の凹部２２４、２２６を含み、内壁の２つの部品２２０ａ、２２０ｂを組み立てると、一対の凹部２２４、２２６が形成されてワイヤ１０２、１０４を収容する。このように、ワイヤ１０２、１０４は、流体の流れに何らかの乱れをもたらすもつれ又は引っ掛かりから保護されて安全に流体流路４００から離れている。
【００４４】
ケーブル５０は、送電線１０４及び中性線１０２を含む。中性線１０２は、ワイヤ分配装置１００から一方の凹部２２６内に入り込み、送電線１０４も、ワイヤ分配装置１００から第２の凹部２２４内に入り込む。
【００４５】
特に図２、図３ａ及び図５〜図７を参照すると、ファンユニット７０は、モータを内壁２２０内で、従ってハンドル２０内で長手方向に保持する２つの環状シートによって内壁２２０内に支持される。凹部２２４、２２６は、ファンユニット７０を過ぎて続くこともできるが、この実施形態では、第１の環状シート２４２に交わる位置で途切れている。中性線１０２及び送電線１０４は、いずれもそれぞれの凹部２２４、２２６から内壁２２０ａの周囲を半径方向に導かれた後に、内壁２２０ａ内に形成された一対のチャネル２４０に沿って長手方向に導かれる。一対のチャネル２４０は、送電線１０４及び中性線１０２を受け入れ、これらのワイヤをファンユニット７０の周囲の所定位置に保持するように設計される。
【００４６】
内壁２２０内にワイヤ１０２、１０４を適合させる（合わせる、嵌める）ために、内壁２２０のワイヤ１０２、１０４の近傍での厚みｔ１は、ワイヤ１０２、１０４とは正反対側の内壁２２０の厚みｔ２に比べて大きい。内壁２２０の厚みは、ファンユニット７０の長さに沿って変化することもできる。
【００４７】
内壁２２０は、中心軸Ｅを有する外面２３０と、中心軸Ｆを有する内面２３２とを有する。軸Ｅと軸Ｆは異なり、従って流体流路４００は、内壁２２０又はヘアドライヤのハンドル２０の中心を流れていない。ファンユニット７０は、モータマウント７２内で内壁２２０の内面２３２のほぼ中心に配置される。ファンユニット７０の中心軸Ｍは、内壁２２０の内面２３２の中心軸Ｆとほぼ同じである。ファンユニットの中心軸Ｍは、内壁２２０の外面２３０の中心軸Ｆ及び外壁２００の中心軸Ｗに対してずれている。
【００４８】
内壁２２０の厚みを可変とし、ハンドル２０の外壁２００内でファンユニット７０及び流体流路４００の中心をずらすということは、例えば内壁２２０の周囲回りの厚みを一定にすることによってこれらの全ての部品を軸方向に整列させた場合に必要となる直径に比べて、ハンドル２０の外壁２００の直径を低減できるということである。
【００４９】
ファンユニット７０の上流には、制御スイッチ６２が存在する。ヘアドライヤ内の配線を単純にするために、制御スイッチ６４は、一対のチャネル２４とほぼ半径方向に一致して配置される。
【００５０】
ヘアドライヤに関して本発明を詳細に説明したが、本発明は、流体を吸い込んでこの流体を機器から流出させるように導くあらゆる機器に適用可能である。
【００５１】
この機器は、ヒータの有無に関わらず使用することができ、流体の高速流出作用は乾燥効果を有する。
【００５２】
一般に、機器内を流れる流体は空気であるが、異なる気体又は一種類の気体の組み合わせであってもよく、機器の性能、或いは出力が向けられる毛髪などの物体及びそのスタイリングに機器が与える影響を改善する添加物を含むこともできる。
【００５３】
本発明は、上述した詳細な説明に限定されるものではない。当業者には、変形例が明らかであろう。
【符号の説明】
【００５４】
２２０  ハンドルの内壁
２３０  内壁の外面
２３２  内壁の内面
２４０  チャネル
Ｅ  外面の中心軸
Ｆ  内面の中心軸
ｔ1  ワイヤ近傍の内壁の厚み
ｔ2  ワイヤとは正反対側の内壁の厚み
【図１】
2016112424.tif 000003
【図２】
2016112424.tif 000004
【図３ａ】
2016112424.tif 000005
【図３ｂ】
2016112424.tif 000006
【図４】
2016112424.tif 000007
【図５】
2016112424.tif 000008
【図６】
2016112424.tif 000009
【図７】
2016112424.tif 000010